(57)【要約】      （修正有）【課題】複数年に亘って利用可能なカレンダーであって、ある特定の日における過年度の出来事を一連に確認することができ、且つ小型の日めくりカレンダーを提供する。【解決手段】複数枚のシートから構成され、年号、月、日が記載された日めくりカレンダー１０であって、各シートには、上端部に単一の月日欄１２が設けられ、月日欄の下方には月日欄に記載された月日に対応する複数の連続する年号が上下方向に沿って予め記載された年号欄１３と、年号欄に左右方向に隣接して、年号欄に記載された年号及び月日欄に記載された月日に発生した事項を記載しうるメモ欄１４とを備える。【選択図】図１
0003197333.tif 000002
【実用新案登録請求の範囲】
【請求項１】
複数枚のシートから構成され、年号、月、日が記載された日めくりカレンダーであって、前記各シートには、単一の月日欄と、前記月日欄に記載された月日に対応する複数の連続する年号が予め記載された年号欄と、前記年号欄に記載された年号及び前記月日欄に記載された月日に発生した事項を記載しうるメモ欄とを備えたことを特徴とする日めくりカレンダー。
【請求項２】
曜日欄が前記年号欄に隣接して設けられていることを特徴とする請求項１記載の日めくりカレンダー。
【請求項３】
前記年号欄、前記曜日欄及び前記メモ欄は、各シートの幅方向に沿って、前記年号欄、前記曜日欄、前記メモ欄が幅方向に一連に設けられていることを特徴とする請求項１及び２記載の日めくりカレンダー。
【請求項４】
前記各シートは横長長方形状に形成され、前記メモ欄は幅方向の略全域に亘って設けられていると共に前記年号欄及び曜日欄は前記メモ欄の端部に設けられ、上端部には綴じ孔が開設されていることを特徴とする請求項３記載の日めくりカレンダー。
【請求項５】
卓上に配置できるように構成されていることを特徴とする請求項４記載の日めくりカレンダー。
【考案の詳細な説明】
【技術分野】
【０００１】
複数年利用可能な日めくりカレンダーに関する。
【背景技術】
【０００２】
従来より、カレンダーは曜日や予定を確認するものとして広く利用されており、１年間もしくは１３か月程度の期間利用可能としたものがあり、年末になると古いカレンダーを廃棄して、新しいカレンダーと入れ替える作業が行われる。
【０００３】
現在においては、前記のような毎年の入れ替え作業が不要であって、複数年に亘って利用することができるカレンダーも用いられている。さらに、各日付に記入欄を設けて、その日の出来事を利用者が記入することができる構成とすることにより、例えば、過去の同じ日の出来事を見て振り返ることができる。
【０００４】
そこで、本考案者は、前記のようなカレンダーについて特許調査を行ったところ、特許文献１から特許文献３の考案が開示されていることを確認した。
【０００５】
しかしながら、特許文献１から特許文献３の何れも１枚の用紙に複数年分のカレンダーが印字されているため、全体が大型となってしまい、卓上カレンダーのように小型のカレンダーには適していなかった。また、特定の日の過年度の出来事を一連に確認できるものではなかった。
【０００６】
小型であれば、様々な場所において手軽に利用することができ、また、特定の日の過年度の出来事を一連に確認することができれば、例えば、一年前、二年前、三年前の同じ日の出来事を一目で確認して思い出すことができる。このようなカレンダーが望まれていた。
【特許文献１】特許第４８６７３５８号公報
【特許文献２】公開実用新案第昭６２−０７８４６８号公報
【特許文献３】公開実用新案第昭５９−１１４９６０号公報
【考案の開示】
【考案が解決しようとする課題】
【０００７】
そこで、本考案は、このような従来の要請に基づくものであって、複数年に亘って利用可能なカレンダーであって、ある特定の日における過年度の出来事を一連に確認することができ、且つ小型のカレンダーを提供することを課題とする。
【課題を解決するための手段】
【０００８】
前記課題を解決するために、請求項１に記載の日めくりカレンダーにあっては、複数枚のシートから構成され、年号、月、日が記載された日めくりカレンダーであって、前記各シートには、単一の月日欄と、前記月日欄に記載された月日に対応する複数の連続する年号が予め記載された年号欄と、前記年号欄に記載された年号及び前記月日欄に記載された月日に発生した事項を記載しうるメモ欄とを備えたことを特徴とする。
【０００９】
従って、請求項１に記載の日めくりカレンダーは、単一の月日という特定の日において、対応する複数の連続する年号が設けられていることから、当該日めくりカレンダーは、複数年に亘って利用可能であり、例えば、日々カレンダーのシートをシート束後端へと送って行くことにより、翌年の同月日には同じシートが表示される。また、日めくりカレンダーを一見することにより、年号及び月日に対応した各メモ欄に記載した過年度の出来事が一連に表示される。
【００１０】
請求項２に記載の日めくりカレンダーにあっては、曜日欄が前記年号欄に隣接して設けられていることを特徴とする。
【００１１】
従って、請求項２に記載の日めくりカレンダーは、各シートに年号及び月日に対応した曜日が表示される。
【００１２】
請求項３に記載の日めくりカレンダーにあっては、前記年号欄、前記曜日欄及び前記メモ欄は、各シートの幅方向に沿って、前記年号欄、前記曜日欄、前記メモ欄が幅方向に一連に設けられていることを特徴とする。
【００１３】
前記年号欄、前記曜日欄、前記メモ欄が幅方向に一連に設けられていることから、本年の年号に対応するメモ欄には前年以前及び翌年以降のメモ欄が隣接して一連に表示される。
【００１４】
請求項４に記載の日めくりカレンダーにあっては、前記各シートは横長長方形状に形成され、前記メモ欄は幅方向の略全域に亘って設けられていると共に前記年号欄及び曜日欄は前記メモ欄の端部に設けられ、上端部には綴じ孔が開設されていることを特徴とする。
【００１５】
請求項５に記載の日めくりカレンダーにあっては、卓上に配置できるように構成されていることを特徴とする。
【考案の効果】
【００１６】
請求項１に記載の日めくりカレンダーにあっては、単一の月日という特定の日において、対応する複数の連続する年号が設けられていることから、毎年カレンダーを入れ替える必要がなく、複数年に亘って利用可能である。
【００１７】
また、例えば、日々カレンダーのシートをシート束後端へと送って行くことにより、翌年の同月日には同じシートが表示されることから、各メモ欄に記載した過年度の出来事が一連に確認することができ、過去を振り返ることができる。
【００１８】
年を重ねるごとに確認できる過年度の出来事の記録が増えるため、利用者は楽しみながら記録することができ、例えば、子供の成長記録やスポーツあるいは料理の記録などを記録して楽しむことができる。
また、日めくりカレンダーであることから、小型化することができるため、様々な場所で手軽に利用することができる。
【００１９】
請求項２に記載の日めくりカレンダーにあっては、年号及び月日に対応した曜日が表示されるため、より日付を把握しやすくなる。
【００２０】
請求項３に記載の日めくりカレンダーにあっては、本年の年号に対応するメモ欄には前年以前及び翌年以降のメモ欄が隣接して一連に表示されることにより、過年度の出来事を一連に確認することができ、過去を振り返ることができる。
【００２１】
請求項４に記載の日めくりカレンダーにあっては、上端部には綴じ孔が開設されていることから、綴じ具によって各シートを係止することができるため、各シートが散乱してしまい紛失してしまうといった事態を回避することができる。
【００２２】
請求項５に記載の日めくりカレンダーにあっては、卓上に配置できるため、例えば、家庭や職場などのデスクに載置して手軽に利用することができる。
【図面の簡単な説明】
【００２３】
【図１】図１は、本考案に係る日めくりカレンダーの一実施の形態を示し、１枚のシートを示した平面図である。
【図２】図２は、本考案に係る日めくりカレンダーの一実施の形態を示した斜視図である。
【考案を実施するための最良の形態】
【００２４】
以下、本考案に係る日めくりカレンダーを実施の形態に基づき、図面を参照して詳細に説明する。
図１に示すように、本考案に係る日めくりカレンダー１０は、複数枚のシート１１から構成され、年号、月、日が記載されている。本実施の形態にあっては、２０１５年から１０年間利用可能である。
【００２５】
各シート１１には、単一の月日欄１２と、月日欄１２に記載された月日に対応する複数の連続する年号が予め記載された年号欄１３と、年号欄１３に記載された年号及び月日欄１２に記載された月日に発生した事項を記載しうるメモ欄１４とを備えている。さらに、曜日欄１５が年号欄１３に隣接して設けられている。
【００２６】
月日欄１２は上端部１７の左端に表示され、図１に示すシート１１には、「９月」、「２４」と表記されており「９月２４日」のシート１１であることを示している。また、９月の表示の下段には英語で「Ｓｅｐｔｅｍｂｅｒ」と表記されている。上端部１７の右端には、「１０年記録  卓上日めくりカレンダー」、「２０１５年スタート」と表記されている。
【００２７】
図１に示すように、年号欄１３、曜日欄１５及びメモ欄１４は、各シート１１の幅方向に沿って、年号欄１３、曜日欄１５、メモ欄１４が幅方向に一連に設けられている。年号欄１３及び曜日欄１５は、長方形状に形成されており、メモ欄１４は、横長長方形状に形成されている。
【００２８】
年号欄１３の列は、２０１５年から始まり、２０２４年までの１０年分の年号が連続して表記されている。また、曜日欄１５の列は、隣接する年号と単一表記された月日とに対応する曜日が表記されている。例えば、２０１５年の９月２４日であれば木曜日であるので、「（木）」と表記されている。
【００２９】
各シート１１は横長長方形状に形成され、メモ欄１４は幅方向の略全域に亘って設けられている。
図１及び図２に示すように、年号欄１３及び曜日欄１５はメモ欄１４の端部１６に設けられ、上端部１７には綴じ孔１８が開設されている。綴じ孔１８は円形に形成され、上端部１７に沿って左端から右端にかけて８カ所に形成されている。
【００３０】
図２に示すように、本実施の形態にあっては、日めくりカレンダー１０の各シート１１は、略三角柱形状の支持部１９に固定されている。支持部上端部２０には支持部綴じ孔（図示せず）が支持部上端部２０に沿って綴じ孔１８と重なり合う位置に設けられており、リング状綴じ具２１を綴じ孔１８及び支持部綴じ孔（図示せず）に挿通して綴じることによって、各シート１１は支持部１９へと係止される。各シート１１は、１月１日から１２月３１日までの枚数分が、若い月日が手前に来るように綴じられている。
【００３１】
従って、図２に示すように、支持部１９の支持部綴じ孔（図示せず）を有していない面を下面として、卓上に配置できる。
【００３２】
以下、本考案に係る日めくりカレンダーの作用について、図面を参照して詳細に説明する。
本考案に係る日めくりカレンダー１０は、以上のように構成されていることから、図２に示すように、例えば、２０１５年９月２４日木曜日である場合、月日欄１２に「９月」、「２４」と記載されたシート１１を表示させて、年号欄１３には「２０１５年」、曜日欄１５には「（木）」と表記されている右端側に設けられたメモ欄１４に当該日付の出来事を記入する。
【００３３】
翌日には、９月２４日のシート１１をリング状綴じ具２１に沿って、支持部１９後端側へとめくることにより、翌日の９月２５日のシート１１が表示される。このように、日めくりを行っていき、１年間が経過すると再び９月２４日のシート１１が表示される。この際に、前年同日に記入した２０１５年９月２４日（木）の出来事を確認することができる。
【００３４】
前年同様に、２０１６年９月２４日（土）の出来事を記入して、日めくりを行っていく。このように出来事の記入と日めくりを繰り返し行っていくことにより、例えば、利用開始から１０年後、２０２４年９月２４日の出来事を記入すると共に、２０１５年から２０２３年までの９月２４日の出来事を列方向に一連に確認することができる。
【００３５】
本実施の形態にあっては、略三角柱形状の支持部１９に綴じ孔１８を介して固定されている場合を例に説明したが、例えば、壁に吊下げて掲示できるように構成してもよく限定されない。
【産業上の利用可能性】
【００３６】
本考案に係る日めくりカレンダーは、複数年に亘って利用することができる日めくりカレンダーであることから産業上利用可能性を有している。
【符号の説明】
【００３７】
１０    日めくりカレンダー
１１    シート
１２    月日欄
１３    年号欄
１４    メモ欄
１５    曜日欄
１６    端部
１７    上端部
１８    綴じ孔
１９    支持部
２０    支持部上端部
２１    リング状綴じ具
【図１】
0003197333.tif 000003
【図２】
0003197333.tif 000004
【手続補正書】
【提出日】平成27年3月9日(2015.3.9)
【手続補正１】
【補正対象書類名】実用新案登録請求の範囲
【補正対象項目名】請求項１
【補正方法】変更
【補正の内容】
【請求項１】
複数枚のシートから構成され、年号、月、日が記載された日めくりカレンダーであって、前記各シートには、前記各シートの上端部に単一の月日欄が設けられ、前記月日欄の下方には、前記月日欄に記載された月日に対応する複数の連続する年号が上下方向に沿って予め記載された年号欄と、前記年号欄に左右方向に隣接して、前記年号欄に記載された年号及び前記月日欄に記載された月日に発生した事項を記載しうるメモ欄とを備えたことを特徴とする日めくりカレンダー。
【手続補正２】
【補正対象書類名】実用新案登録請求の範囲
【補正対象項目名】請求項３
【補正方法】変更
【補正の内容】
【請求項３】
前記年号欄、前記曜日欄及び前記メモ欄は、各シートの幅方向に沿って、前記年号欄、前記曜日欄、前記メモ欄が幅方向に一連に設けられていることを特徴とする請求項１又は２記載の日めくりカレンダー。
【手続補正３】
【補正対象書類名】明細書
【補正対象項目名】０００８
【補正方法】変更
【補正の内容】
【０００８】
前記課題を解決するために、請求項１に記載の日めくりカレンダーにあっては、複数枚のシートから構成され、年号、月、日が記載された日めくりカレンダーであって、前記各シートには、前記各シートの上端部に単一の月日欄が設けられ、前記月日欄の下方には、前記月日欄に記載された月日に対応する複数の連続する年号が上下方向に沿って予め記載された年号欄と、前記年号欄に左右方向に隣接して、前記年号欄に記載された年号及び前記月日欄に記載された月日に発生した事項を記載しうるメモ欄とを備えたことを特徴とする。